(57)【要約】      （修正有）【課題】操作性および使い勝手に優れた扉のハンドル装置を提供する。【解決手段】扉１に固定された台座部２、該台座部２に軸装されたハンドル８背面の上下一対の各取付座８ｂ、８ｃに突設した第１回転軸６、および該第１回転軸６を中心に揺動するハンドル８の揺動変位をラッチレバー４へ伝達する操作力伝達機構５を有すると共に、該操作力伝達機構５によりラッチレバー４を揺動させる扉８のハンドル装置であって、上下の各取付座８ｂ、８ｃに第１回転軸６とは別の第２回転軸７を突設し、第１回転軸６をハンドル８の一方の側縁に、第２回転軸７をハンドル８の他方の側縁に存するように配置し、一方の側縁を扉２から離反するように引いた場合には第２回転軸７を中心に、また、他方の側縁を扉２から離反するように引いた場合には第１回転軸６を中心にして、それぞれハンドル８が揺動することにより、操作力伝達機構５を介してラッチレバー４が揺動する構成とした。【選択図】図１
2010185269.tif 000002
【特許請求の範囲】
【請求項１】
扉に固定した台座部に浮動的に支持されて、異なる軸を中心にそれぞれ開方向と閉方向との間に亘って揺動するハンドルと、
前記ハンドルの揺動に連動してラッチレバーを揺動させるアームと、
前記アームを前記台座部と離反する方向に付勢するバネ部材と、を具備し、
通常時に前記ハンドルは前記バネ部材の付勢力により前記閉方向に維持されるが、前記ハンドルを前記開方向へ操作したとき、前記バネ部材の付勢力に抗して前記アームが揺動され、かつ、該アームに連動して前記ラッチレバーが鉛直面内または水平面内に揺動するように構成されたことを特徴とする、
扉のハンドル装置。
【請求項２】
扉に固定された台座部、前記台座部に軸装されハンドル背面の上下一対の各取付座に突設した第１回転軸、および前記第１回転軸を中心に揺動する前記ハンドルの揺動変位を、ラッチレバーへ伝達する操作力伝達機構を有すると共に、該操作力伝達機構により前記ラッチレバーを揺動させる扉のハンドル装置であって、
前記上下の各取付座に、前記第１回転軸と同じ方向に指向する別の第２回転軸を突設し、
前記台座部に、前記第１、第２の回転軸のいずれか一方を揺動中心として規定し、いずれか他方を案内しながらハンドルの揺動を許容する案内溝を設け、
前記第１回転軸を、前記ハンドルの一方の側縁に、前記第２回転軸を前記ハンドルの他方の側縁に存するように配置し、
前記一方の側縁を前記扉から離反するように引いた場合には前記第２回転軸を中心に、また、前記他方の側縁を前記扉から離反するように引いた場合には前記第１回転軸を中心にして、それぞれ前記ハンドルが揺動されることにより、前記操作力伝達機構を介して前記ラッチレバーが揺動するように構成したことを特徴とする、
扉のハンドル装置。
【請求項３】
前記操作力伝達機構は、
前記台座部との間に設けた旋回軸を中心に揺動するアームと、
前記アームと前記取付座との間に設けられ、前記ハンドルの操作に連動して前記アームを揺動させる係合手段と、
前記ラッチレバーを揺動させるように支持するラッチレバー軸と、
一方の自由端を前記台座部に、他方の自由端を前記アームに係止するバネ部材と、
前記ラッチレバーと前記アームとの間に設けた操作力伝達部と、を具備し、
前記ハンドルを操作しないとき、前記バネ部材の付勢力により前記第１、第２両回転軸は共に前記案内溝のうち前記扉側に偏倚した部位に存して前記扉側に引きつけられるが、前記ハンドルを前記第１回転軸または第２回転軸を中心にして揺動させるときには、前記旋回軸回りに旋回する前記アームにより、前記操作力伝達部を介して前記ラッチレバーが前記ラッチレバー軸回りに揺動するように構成されたことを特徴とする、
請求項２に記載の扉のハンドル装置。
【請求項４】
前記アームは、
前記旋回軸側の鉛直基部と、
前記鉛直基部の上下端から略水平方向に対向して伸びる上下方両水平アーム部と、
前記両水平アーム部の自由端で鉛直に連結される鉛直アーム部と、から形成され、
かつ、前記アームで区画される空間に、前記ラッチレバー軸、前記ラッチレバー、および前記バネ部材を配置したことを特徴とする、
請求項３に記載の扉のハンドル装置。
【請求項５】
前記第１回転軸によって回転駆動される第１片引き部品と、
前記第２回転軸によって回転駆動される第２片引き部品と、をさらに備え、
前記ハンドルの一方の側縁を前記扉から離反するように引いた場合には、前記第１片引き部品と前記第２片引き部品が当接せずに前記第１回転軸または前記第２回転軸の移動を規制しないように構成され、前記ハンドルの両縁を前記扉から離反するように引いた場合には、前記第１片引き部品と前記第２片引き部品とが当接して前記第１回転軸および前記第２回転軸の移動を規制するように構成されたことを特徴とする、
請求項２〜４のいずれかに記載の扉のハンドル装置。
【請求項６】
前記ラッチレバーは、
前記ラッチレバー軸を前記旋回軸とほぼ直交する方向に指向して配置されたことを特徴とする、
請求項３〜５のいずれかに記載の扉のハンドル装置。
【請求項７】
前記ラッチレバーは、
前記ラッチレバー軸を前記旋回軸と同じ方向に指向して配置されたことを特徴とする、  請求項３〜５のいずれかに記載の扉のハンドル装置。
【請求項８】
前記台座部は、
前記扉に固定される背面部および前記案内溝を設けたフランジ部を有するコ字断面のユニットベースと、
前記ユニットベースに受容されるように前記背面部に結合されるコ字断面を有するユニットプレートとで形成され、
前記ユニットプレートを前記アームの空間に存置せしめ、かつ、前記ユニットプレートに、前記ラッチレバーおよび前記バネ部材を設けたことを特徴とする、
請求項２〜７のいずれかに記載の扉のハンドル装置。
【請求項９】
前記係合手段は、
前記上方水平アーム部に設けられ、かつ、前記第１回転軸と第２回転軸の中間に存するように配置したことを特徴とする、
請求項４〜８のいずれかに記載の扉のハンドル装置。
【請求項１０】
前記操作力伝達部は、
前記下方水平アーム部に形成した凹溝またはカムと、
前記ラッチレバーに形成され、前記凹溝または前記カムにカム係合するカムまたは凹溝と、でカム機構として構成されることを特徴とする、
請求項６、８、９のいずれかに記載の扉のハンドル装置。
【請求項１１】
前記操作力伝達部は、
前記上方水平アーム部材における前記旋回軸と前記係止手段との間に設けたピンまたは係合孔と、
前記ラッチレバーに形成され、前記ピンまたは係合孔に係合する係合孔またはピンと、で構成されることを特徴とする、
請求項７または９に記載の扉のハンドル装置。
【発明の詳細な説明】
【技術分野】
【０００１】
本発明は、操作性、使い勝手に優れた扉のハンドル装置に係り、殊にハンドルを左右いずれの側縁からでも手前に引くことで扉をスムーズに開閉できる扉のハンドル装置に関する。
【背景技術】
【０００２】
従来、扉のハンドル装置として、例えば特許文献１に記載された技術が知られている。この技術は、鉛直線回りに揺動するように配置したハンドルと、ハンドルの操作力を伝達する連係手段(操作力伝達機構)と、連係手段により作動する作用レバー(ラッチレバー)とを有する構成である。このハンドル装置では、ハンドルを水平面内で手前に引いたり押したりしてハンドルを揺動させるとともに、これに応じて作用レバーを鉛直面内で揺動させる。これにより、作用レバーは鉛直面内で上下動し、錠前を駆動して扉が開閉されるようになっている。
【先行技術文献】
【特許文献】
【０００３】
【特許文献１】特開平１１−３００６２号公報
【発明の概要】
【発明が解決しようとする課題】
【０００４】
しかしながら、上記特許文献１記載の扉のハンドル装置にあっては、ハンドルを揺動する回転軸を一個しか有しないため、ハンドルを左右いずれの側縁を引いたり、押したりする、すなわち、両側縁いずれを引いたり、押したりしてハンドルを揺動することができない。このため、左利き、あるいは右利きいずれのユーザに対しても違和感なくハンドル操作を円滑に行うには操作フィーリングを悪くする問題があった。
【０００５】
本発明は、このような従来の問題点を解決するためになされたものであって、操作性および使い勝手に優れた扉のハンドル装置を提供することを目的とする。
【課題を解決するための手段】
【０００６】
（１）本発明は、扉に固定した台座部に浮動的に支持されて、異なる軸を中心にそれぞれ開方向と閉方向との間に亘って揺動するハンドルと、前記ハンドルの揺動に連動してラッチレバーを揺動させるアームと、前記アームを前記台座部と離反する方向に付勢するバネ部材と、を具備し、通常時に前記ハンドルは前記バネ部材の付勢力により前記閉方向に維持されるが、前記ハンドルを前記開方向へ操作したとき、前記バネ部材の付勢力に抗して前記アームが揺動され、かつ、該アームに連動して前記ラッチレバーが鉛直面内または水平面内に揺動するように構成されたことを特徴とする、扉のハンドル装置である。
【０００７】
（２）本発明はまた、扉に固定された台座部、前記台座部に軸装されハンドル背面の上下一対の各取付座に突設した第１回転軸、および前記第１回転軸を中心に揺動する前記ハンドルの揺動変位を、ラッチレバーへ伝達する操作力伝達機構を有すると共に、該操作力伝達機構により前記ラッチレバーを揺動させる扉のハンドル装置であって、前記上下の各取付座に、前記第１回転軸と同じ方向に指向する別の第２回転軸を突設し、前記台座部に、前記第１、第２の回転軸のいずれか一方を揺動中心として規定し、いずれか他方を案内しながらハンドルの揺動を許容する案内溝を設け、前記第１回転軸を、前記ハンドルの一方の側縁に、前記第２回転軸を前記ハンドルの他方の側縁に存するように配置し、前記一方の側縁を前記扉から離反するように引いた場合には前記第２回転軸を中心に、また、前記他方の側縁を前記扉から離反するように引いた場合には前記第１回転軸を中心にして、それぞれ前記ハンドルが揺動されることにより、前記操作力伝達機構を介して前記ラッチレバーが揺動するように構成したことを特徴とする、扉のハンドル装置である。
【０００８】
本発明によれば、ハンドルは台座部に対して第１回転軸または第２回転軸のいずれか一方の回転軸を中心として鉛直線回りに揺動されると、いずれか他方の回転軸は案内溝に沿って移動する。ハンドルに加えられた操作力は、操作力伝達機構を介してラッチレバーに伝達され、ラッチレバーが水平線回りに揺動する。これにより、錠前をロックまたはアンロック(施解錠)し、扉を開閉できる。このため、右利きまたは左利き、いずれの人でも、簡単にハンドル操作をして、ハンドルを第１回転軸または第２回転軸を中心に揺動させることで、ハンドルの両引き操作が可能な扉のハンドル装置を得ることができるようになる。
【０００９】
(３)本発明はまた、前記操作力伝達機構は、前記台座部との間に設けた旋回軸を中心に揺動するアームと、前記アームと前記取付座との間に設けられ、前記ハンドルの操作に連動して前記アームを揺動させる係合手段と、前記台座部に設けられ前記ラッチレバーを揺動させるように支持するラッチレバー軸と、一方の自由端を前記台座部に、他方の自由端を前記アームに係止するバネ部材と、前記ラッチレバーと前記アームとの間に設けた操作力伝達部と、を具備し、前記ハンドルを操作しないとき、前記バネ部材の付勢力により前記第１、第２両回転軸は共に前記案内溝のうち前記扉側に偏倚した部位に存して前記扉側に引きつけられるが、前記ハンドルを前記第１回転軸または第２回転軸を中心にして揺動させるときには、前記旋回軸回りに旋回する前記アームにより、前記操作力伝達部を介して前記ラッチレバーが前記ラッチレバー軸回りに揺動するように構成されたことを特徴とする、前記（２）記載の扉のハンドル装置である。
【００１０】
本発明によれば、ハンドルの操作力により、操作力は係合手段を介してアームに伝達される。アームは旋回軸を中心にして鉛直線回りに手前側へ揺動する。係る揺動はラッチレバー軸に巻装したバネ部材のバネ力に抗して行われる。アームの揺動に連動してカム機構に操作力が伝達される。カム機構を介してラッチレバーに操作力が伝達される。その結果、ラッチレバーはラッチレバー軸を中心に揺動させられる。これにより、錠前を解錠して扉を開くことができる。ハンドルから手を離すなどしてハンドルに作用させる操作力を除荷した場合には、ラッチレバーはラッチレバー軸回りに揺動し、元の状態へ復帰変位する。バネ部材の復元力がアームにより伝達され、これによりアームはハンドル操作する前の状態に揺動して復帰変位する。係合手段を介して取付座に上記復元力が伝達され、ハンドルは操作する前の状態に復帰する。
【００１１】
(４)本発明はまた、前記アームは、前記旋回軸側の鉛直基部と、前記鉛直基部の上下端から略水平方向に対向して伸びる上下方両水平アーム部と、前記両水平アーム部の自由端で鉛直に連結される鉛直アーム部と、から形成され、かつ、前記アームで区画される空間に、前記ラッチレバー軸、前記ラッチレバー、および前記バネ部材を配置したことを特徴とする、前記（３）記載の扉のハンドル装置である。
【００１２】
本発明によれば、ラッチレバー軸、ラッチレバー、およびバネ部材がアームで区画される空間に配置されているので、アームが旋回軸を中心に鉛直線回りに揺動するとき、アームはこれら操作力伝達機構の構成要素に干渉することなく自由に揺動する。これにより、扉のハンドル装置をコンパクトに形成することができるようになる。
【００１３】
（５）本発明はまた、前記第１回転軸によって回転駆動される第１片引き部品と、前記第２回転軸によって回転駆動される第２片引き部品と、をさらに備え、前記ハンドルの一方の側縁を前記扉から離反するように引いた場合には、前記第１片引き部品と前記第２片引き部品が当接せずに前記第１回転軸または前記第２回転軸の移動を規制しないように構成され、前記ハンドルの両縁を前記扉から離反するように引いた場合には、前記第１片引き部品と前記第２片引き部品とが当接して前記第１回転軸および前記第２回転軸の移動を規制するように構成されたことを特徴とする、前記（２）〜（４）のいずれかに記載の扉のハンドル装置である。
【００１４】
本発明によれば、ハンドルを操作する場合に、確実にハンドル８の一方の側を手前に引いて片引き操作させることができ、より一層、操作性を高めることが可能となる。
【００１５】
（６）本発明はまた、前記ラッチレバーは、前記ラッチレバー軸を前記旋回軸とほぼ直交する方向に指向して配置されたことを特徴とする、前記（３）〜（５）のいずれかに記載の扉のハンドル装置である。
【００１６】
本発明によれば、アームが揺動すると、ラッチレバーはアームの揺動する面にほぼ直交する面に揺動させることができるようになる。
【００１７】
（７）本発明はまた、前記ラッチレバーは、前記ラッチレバー軸を前記旋回軸と同じ方向に指向して配置されたことを特徴とする、前記（３）〜（５）のいずれかに記載の扉のハンドル装置である。
【００１８】
本発明によれば、アームが揺動すると、ラッチレバーはアームの揺動する面と同じ方向の面内に揺動させることができるようになる。
【００１９】
(８)本発明はまた、前記台座部は、前記扉に固定される背面部および前記案内溝を設けたフランジ部を有するコ字断面のユニットベースと、前記ユニットベースに受容されるように前記背面部に結合されるコ字断面を有するユニットプレートとで形成され、前記ユニットプレートを前記アームの空間に存置せしめ、かつ、前記ユニットプレートに、前記ラッチレバー、および前記バネ部材を設けたことを特徴とする、前記（２）〜（７）のいずれかに記載の扉のハンドル装置である。
【００２０】
本発明によれば、ラッチレバーおよびバネ部材がユニットプレートに設けられるので、アームが旋回軸を中心に鉛直線回りに揺動するとき、アームはこれら操作伝達機構の構成要素に干渉することなく自由に揺動する。これにより、扉のハンドル装置をコンパクトなサイズに形成することができる。
【００２１】
(９)本発明はまた、前記係合手段は、前記上方水平アーム部に設けられ、かつ、前記第１回転軸と第２回転軸の中間に存するように配置したことを特徴とする、前記（４）〜（８）のいずれかに記載の扉のハンドル装置である。
【００２２】
本発明によれば、ハンドルを第１回転軸または第２回転軸のいずれの回転軸を中心にして開閉操作するときでも、その操作力は係合手段を介してアームに伝達される。このとき、係合手段は第１回転軸と第２回転軸の中間に位置するので、アームは旋回軸を中心にして揺動する角度は等しい。このため、ハンドルを左右いずれの側を手前に引いて操作するときでも、均等な操作力で両引きによる開閉操作でき、違和感のない操作フィーリングに優れた扉の施解錠装置を得ることができるようになる。
【００２３】
(１０)本発明はまた、前記操作力伝達部は、前記下方水平アーム部に形成した凹溝またはカムと、前記ラッチレバーに形成され、前記凹溝または前記カムにカム係合するカムまたは凹溝と、でカム機構として構成されることを特徴とする、前記（６）、（８）、（９）のいずれかに記載の扉のハンドル装置である。
【００２４】
本発明によれば、カム機構のカム形状効果により、アームの揺動に応じてカム機構を介してアームとラッチレバーとの間で操作力の伝達が行われる。このため、ハンドルの開閉操作(両引き操作)による錠前の施解錠を確実に行うことができ、かつ、滑らかなハンドル操作性を得ることができるようになる。
【００２５】
（１１）本発明はまた、前記操作力伝達部は、前記上方水平アーム部材における前記旋回軸と前記係止手段との間に設けたピンまたは係合孔と、前記ラッチレバーに形成され、前記ピンまたは係合孔に係合する係合孔またはピンと、で構成されることを特徴とする、
請求項７または９に記載の扉のハンドル装置である。
【００２６】
本発明によれば、アームとラッチレバーとは係合孔と、これにピンを係合することで、ハンドルの開閉操作力が伝達される。このため、アームが揺動する力は確実にラッチレバーに伝達できるので、誤作動が生じることのない操作フィーリングに優れた扉の施解錠装置を実現できるようになる。
【発明の効果】
【００２７】
本発明によれば、左利き、右利きいずれのユーザにも容易に開閉操作ができ、使い勝手のよさ、操作フィーリングの向上、さらにはコンパクトサイズに有利な扉のハンドル装置を得ることができる。
【図面の簡単な説明】
【００２８】
【図１】本発明の実施形態に係る扉のハンドル装置の組み立ての概要を説明する組み立て外観図である。
【図２】同じく、扉のハンドル装置の作用を説明する作用説明図である。
【図３】同じく、操作力伝達機構を省略して画いたハンドルの三面図である。
【図４】同じく、扉のハンドル装置の一部を断面で示した要部拡大正面図である。
【図５】同じく、一部を断面で示した図４の左側面図である。
【図６】同じく、ユニットベースの三面図である。
【図７】同じく、ユニットプレートの三面図である。
【図８】同じく、アームの三面図である。
【図９】同じく、ラッチレバーの三面図である。
【図１０】上記実施形態の変形例に係り、（ａ）はハンドルの開操作力が作用しない状態におけるユニットプレートを透視して示した操作力伝達機構（ユニットベース、コイルスプリング等は不図示）の外観図、（ｂ）はユニットプレートを省いて操作力伝達機構だけを示した要部外観図である。
【図１１】同じく、（ａ）はハンドルの開操作力が作用した状態における図１０（ａ）と同じ外観図、（ｂ）は同図（ｂ）と同じ要部外観図である。
【図１２】（ａ）はラッチレバーの平面図、（ｂ）はその側面図、（ｃ）はコイルスプリングの側面図である。
【図１３】片引き部品を追加した、ハンドル装置の変形例を示した上記図４に相当する要部拡大正面図である。
【図１４】片引き部品の動きを示した作用説明図である。
【発明を実施するための形態】
【００２９】
以下、本発明の実施形態を図に基づいて詳述する。図１は扉のハンドル装置の組み立ての概要を説明する組み立て外観図、図２は扉のハンドル装置の作用を説明する作用説明図、図３は操作力伝達機構を省略して画いたハンドルの三面図、図４は扉のハンドル装置の一部を断面で示した要部拡大正面図、図５は一部を断面で示した図４の左側面図である。
【００３０】
扉のハンドル装置の各構成要素を詳細に説明する前に、構成の概要と、作動の概要を説明する。図１に示すように、扉のハンドル装置の主要な構成要素は、扉１に固定される台座部２と、台座部２に設けられるアーム３およびラッチレバー４等で成る後述される操作力伝達機構５と、台座部２に対して第１回転軸６または第２回転軸７を中心にして鉛直線回りに揺動することで操作されるハンドル８である。
【００３１】
上記アーム３は額縁形状を成し、台座部２に軸支される旋回軸３ａと、ハンドル８の操作力が作用する係合軸３ｂとを備える。ハンドル８が操作されることで、アーム３は旋回軸３ａを中心に鉛直線回りに揺動するようになっている。
【００３２】
アーム３で囲まれた空間には、ラッチレバー４が配置される。このラッチレバー４は台座部２に対して水平方向に取り付けたラッチレバー軸４ｄにフリーな状態で軸支される。これにより、ラッチレバー４はアーム３に干渉することなく、ラッチレバー軸４ｄを中心にして上下に（鉛直面内に）揺動するようになっている。
【００３３】
図１（ｂ）に示すように、アーム３およびラッチレバー４により操作力伝達機構５の主要部が形成される。台座部２に操作力伝達機構５を組み込み、組み込んだその外側にハンドル８をカバーするようにして装着することにより、本実施形態に係る扉のハンドル装置が形成される。これにより、ハンドル８は第１回転軸６または第２回転軸７を中心にして交互に扉１から浮き上がるように揺動されることで、扉１の開閉操作が行われる。
【００３４】
ハンドルの開閉操作を行わない場合は、ハンドル８は図２(ａ)に示す状態にあるが、ハンドルの一方の側縁(左側縁)を、同図(ｃ)の矢印で示す方向、すなわち扉１から離反するように手前に引くと、第２回転軸７を中心にしてハンドル８は揺動（開作動）する。一方、同図(ｅ)の矢印で示す方向に、他方の側縁(右側縁)を手前に引くと、第１回転軸６を中心にハンドル８は揺動（開作動）する。開作動状態にあるハンドル８を引く力を弱めるか、あるいは手を離すなどしてハンドル８に対する開閉操作力を除荷すると、図２（ｃ）や同図（ｅ）の状態にあるハンドル８は、後述する操作力伝達機構５の一構成要素であるバネ部材の復元力(バネ付勢力)により図２(ａ)に示される状態にハンドル８は復帰する。以下、上記の各構成要素の詳細を順次説明していく。
【００３５】
＜ハンドル＞
ハンドル８は、図３に示すように例えばアルミニウムにより形成され、その上下に二個の同じ構造を備えた扉のハンドル装置が装備される。なお、一個のハンドルに対しては、一個の扉のハンドル装置を設ける態様でもよい。以下では、一個の扉のハンドル装置について説明する。
【００３６】
ハンドル本体部８ａの背面には、一個の扉のハンドル装置につき、板状の上取付座８ｂと、板状の下取付座８ｃとが形成される。上下両取付座８ｂ、８ｃにはハンドル本体部８ａから扉１に向かって末広がり状で、かつ、左右対称に突き出るように伸びる一対のステー８ｄが形成される。操作力伝達機構５は上下両取付座８ｂ、８ｃと、両ステー８ｄとで形成される空所に受容され、外部に露呈しないようになっている。
【００３７】
上下両取付座８ｂ、８ｃには、ピンで形成された第１回転軸６および第２回転軸７を取り付けるための軸孔８ｅおよび軸孔８ｆが穿たれる。また、上取付座８ｂにおける軸孔８ｅ、８ｆの中間位置に穴８ｇが形成され、そこにアーム３に突設した後述する係合軸３ｂが係合する。これによりハンドル８が第１回転軸６または第２回転軸を中心にして揺動（開閉）されると、ハンドル８の揺動による操作力は係合軸３ｂを介してアーム３に伝達されるようになっている。
【００３８】
＜台座部＞
台座部２は、図６（ｃ）に示すコ字型断面を基本形態とするユニットベース１０と、図７（ｂ）、同図（ｃ）に示されるコ字型断面を基本形態とするユニットプレート１１とのパーツからなる。台座部２は、図４、図５に示すように両パーツ１０，１１を互いに拝み合わせるように対向させて組み立てられる。
【００３９】
次に、両部材１０，１１をより具体的に説明する。ユニットベース１０はその背面部１０ａにおける上下に、ユニットプレート１１側へ直角に屈曲するフランジ部１０ｂが設けられる。上下方両フランジ部１０ｂには、湾曲する案内溝１０ｃが左右対称に形成され、案内溝１０ｃにより第１回転軸６および第２回転軸７が案内され、両回転軸６，７の揺動が円滑に行われるようにしている。背面部１０ａにはユニットベース１０にユニットプレート１１を取り付けるための二個のビス穴１０ｄが形成される。
【００４０】
ユニットプレート１１は上下寸法がユニットベース１０よりも小さく、組み立て時にはユニットベース１０の内側に受容されるようになっている。すなわち、ユニットプレート１１は、表面部１１ａと、表面部１１ａの上下端から直角に伸びる上方フランジ部１１ｂおよび下方フランジ部１１ｃと、表面部１１ａの左右両側から扉１方向へＬ型に屈曲して延びる左方脚部１１ｄと、同じく片状に屈曲する右方脚部１１ｅとを有する。
【００４１】
上方フランジ部１１ｂには、アーム３に設けたピン状の係合軸３ｂの揺動を許容するＵ字状の切欠溝１１ｆが設けられる。上下方両フランジ部１１ｂ、１１ｃに、後述するアーム３の旋回軸３ａを枢支する軸穴１１ｈが形成される。左右両脚部１１ｄ，１１ｅには後述するラッチレバー軸４ｄを扉１の取付面に平行で、かつ水平に支持する支持穴１１ｆ、１１ｇが形成されている。
【００４２】
左方脚部１１ｄの突部１１ｄ１(図７(ｂ)参照)は、ユニットベース１０の背面部１０ａに形成した係合凹部１０ａ１に、また、右方脚部１１ｅの突部１１ｅ１(図７(ｃ)参照)は、ユニットベース１０ａに形成した係合穴１０ａ２にそれぞれ係合することで、ユニットプレート１１をユニットベース１０に位置決めできるようになっている。
【００４３】
また、表面部１１ａおよび左方脚部１１ｄには、上記のビス穴１０ｄ(図６(ａ)参照)に対応する位置に二個のビス穴１１ｉが設けられる。これらビス穴１０ｄ、１１ｉに不図示のビスを通して扉１にねじ込むことにより、台座部２としてのユニットベース１０およびユニットプレート１１が合体された状態で扉１に締結されることとなる。
【００４４】
図４，図５に示すように、扉１に台座部２が締結されると、ユニットベース１０の上方フランジ部１０ｂとユニットプレート１１の上方フランジ部１１ｂとの間にハンドルの上取付座８ｂがはまり込む隙間が形成される。同様に、ユニットベース１０の下方フランジ部１０ｂとユニットプレート１１の下方フランジ部１１ｃとの間にハンドルの下取付座８ｃがはまり込む隙間が形成される。
【００４５】
一方、ユニットベース１０の上方フランジ部１０ｂにおける上面および下方フランジ部１０ｂにおける下面には、図４，図５で示されるように、扉１にスタットボルト１３で締結された断面Ｌ型の上方ガイドプレート１２および下方ガイドプレート１２が当接するように設けられる。これにより、ユニットベース１０は上下両方からガイドプレート１２で挟持されるようにして位置決め支持される。
【００４６】
上取付座８ｂおよび下取付座８ｃには、第１回転軸６および第２回転軸７が突設され、上方フランジ部１０ｂおよび下方フランジ部１０ｂに形成した案内溝１０ｃに遊挿される(図１(ｃ)参照)。
【００４７】
また、アーム３に設けた図１（ａ）のボス３ｈは図７（ｄ）の切欠溝１１ｆに遊挿され、アーム３の揺動がユニットプレート１１に拘束されないようにしている。上記ボス３ｈには図１（ｂ）のように係合軸３ｂが嵌め込まれ、上取付座８ｂの係合穴８ｇに係合する。これにより、ハンドル８の荷重はボス３ｈを介してアーム３で支持される（図４参照）。こうして、ハンドル８を開閉操作するとき、その操作力は操作力伝達機構５の係合軸３ｂを介してアーム３に伝達されるようになっている。
【００４８】
＜アーム＞
アーム３は、図１(ａ)，図８に示すように旋回軸３ａ側の鉛直基部３ｃと、該鉛直基部３ｃの上下端から略水平方向に対向して伸びる上下方両水平アーム部３ｄ，３ｅと、該両水平アーム部３ｄ，３ｅの自由端で鉛直に連結される鉛直アーム部３ｆとにより額縁形状に形成されている。アーム３で仕切られた空間Ｓにラッチレバー軸４ｄ、ラッチレバー４、およびコイルスプリング４ｅ等の操作力伝達機構５の要素が配置されるようになっている。
【００４９】
鉛直基部３ｃには軸穴３ｇが穿たれ、そこに旋回軸３ａが貫通して設けられる。旋回軸３ａの上下両端は台座部２のユニットプレート１１に形成した軸穴１１ｈに支承される。これにより、アーム３は旋回軸３ａを中心にして鉛直線回りに揺動できる。
【００５０】
上方水平アーム部３ｄにはボス３ｈが設けられ、そこに係合軸３ｂが嵌め込まれる。係合軸３ｂはハンドル８の上取付座８ｂに設けた係合穴８ｇに入り込んでいる。係合軸３ｂは第１、第２両回転軸６，７のほぼ中間に存する。こうして、係合軸３ｂと係合穴８ｇとで係合手段が構成される。これにより、ハンドル８を左右いずれかの方向に揺動操作すると、これに連動して係合軸３ｂを介してハンドルの操作力がアーム３に伝達される。これにより、アーム３は旋回軸３ａを中心にしてハンドルに引きつけられて鉛直線回りに揺動するようになっている。
【００５１】
下方水平アーム部３ｅにはアーム３自体の揺動を円滑ならしめる末広がり状の凹溝３ｉと、後述するコイルスプリング４ｅの他端を係止せしめる突起状の係止部３ｊとが形成される。上記凹溝３ｉにラッチレバー４に設けた後述のカム４ｇがカム係合（接触）するようになっている。
【００５２】
＜ラッチレバー＞
図１(ａ)、図４，図５および図９において、ラッチレバー４は、切欠部４ｆが形成されたラッチ基部４ａと、該ラッチ基部４ａからハンドル８方向へ屈曲する長脚４ｂおよび短脚４ｃとを有する。短脚４ｃの下方には上記の凹溝３ｉにカム係合する曲面状をなすカム４ｇが形成される。このカム４ｇと上記凹溝３ｉとでカム機構が構成される。
【００５３】
長脚４ｂは不図示の錠箱を施解錠する機能を有するラッチレバー部として形成される。両脚４ｂ、４ｃに設けた一対の穴部４ｈ間には水平方向に配したラッチレバー軸４ｄが貫通される。ラッチレバー軸４ｄはその両端をユニットプレート１１の支持穴１１ｆ、１１ｇに挿通し、ラッチレバー軸４ｄが水平に支持されるようになっている。これにより、ラッチレバー４はラッチレバー軸４ｄに対してフリーな状態で揺動できる。
【００５４】
また、両脚４ｂ、４ｃの間のラッチレバー軸４ｄには、バネ部材としてのトーションスプリング（以下において、「コイルスプリング」という）４ｅが巻装される。コイルスプリング４ｅの一端はユニットプレート１１の表面部１１ａに穿った固定系である係止孔１１ｊに係止される。コイルスプリング４ｅの他端は図５に示すように切欠部４ｆをくぐり抜けて下方水平アーム部３ｅの係止部３ｊに係止される。
【００５５】
これにより、アーム３には常時コイルスプリング４ｅのバネ力が付勢される。このバネ力はアーム３を介してハンドル８を閉方向に揺動せしめる力として作用する。他方、ラッチレバー４は、コイルスプリング４ｅとは無関係に、かつ、ラッチレバー軸４ｄに対してフリーな状態で支持される。そのため、ラッチレバー４は図５においてラッチレバー軸４ｄを中心に反時計回りの方向へ偏倚する状態となる。
【００５６】
こうして、アーム３と、係合手段３ｂ、８ｇと、ラッチレバー４と、ラッチレバー軸４ｄと、コイルスプリング４ｅと、カム機構３ｉ、４ｇとで操作力伝達機構５が形成され、係る操作力伝達機構５を備えた扉のハンドル装置が構成されることとなる。
【００５７】
本実施形態に係る扉のハンドル装置の動作を主として図２に基づいて説明する。なお、図２(ａ)、(ｃ)および(ｅ)には回転軸６，７の動きが理解し易いようにガイドプレート１２の図示を割愛した。同様に、図２(ｂ)、(ｄ)および(ｆ)には複雑化を避けるため、コイルスプリング４ｅ、ユニットベース１０やユニットプレート１１の図示を省略し、かつ、ラッチレバー４を透視できるように示した。
【００５８】
ハンドル８を操作しない場合には、ラッチレバー４に対するアーム３の位置は図２(ｂ)に示す状態、すなわち、図５に示される状態にある。換言すると、コイルスプリング４ｅのバネ反力は係止部３ｊを介してアーム３に作用し、アーム３を扉１側へ引き寄せている。
【００５９】
アーム３が扉側へ引き寄せられることにより、バネ反力はさらに係合軸３ｂを介してハンドル８に伝達される。そのため、ハンドル８は図２(ａ)に示すように扉１側へ引き寄せられる。すなわち、第１、第２回転軸６，７は共に案内溝１０ｃの扉１に近い奥まった位置で停留する状態に保持されることとなる。
【００６０】
ここで、図２(ｃ)のようにハンドル８の左側縁をコイルスプリング４ｅのバネ反力に抗して矢印で示す手前(扉１から遠ざける方向)に引くと、第２回転軸７は案内溝１０ｃの奥まった位置に留まる一方で、第１回転軸６だけが案内溝１０ｃに沿って手前に移動する。これに連動して係合軸３ｂにハンドル操作力が伝達され、アーム３は旋回軸３ａを中心にしてハンドルの開き角度に応じた角度だけ鉛直線回りに揺動する。これにより、凹溝３ｉにカム係合するカム４ｇに操作力が伝えられ、ラッチレバー４は図２(ｄ)に示すように、ラッチレバー軸４ｄの回りをおじぎをするように揺動する。すなわち、ラッチレバー４は図５においてラッチレバー軸４ｄを中心にして反時計回りに揺動する。このため、ラッチレバー４，すなわちラッチレバー部４ｂにより不図示の錠箱が施解錠され、扉１を開閉することができる。
【００６１】
この状態からハンドルを離して操作力を除荷すると、ハンドル８はコイルスプリング４ｅの復元力により図２(ａ)に示す状態に復帰する。
【００６２】
次に、図２(ｅ)のようにハンドル右側縁を手前に引いて扉を開閉操作する場合には、第１、第２回転軸６，７は案内溝１０ｃ内を移動する。すると、上記のハンドル左側縁を手前に引いた場合と同様に、アーム３は図２（ｆ）に示すように、コイルスプリング４ｅのバネ力に抗して揺動する。これにより、凹溝３ｉにカム係合するカム４ｇに操作力が伝えられ、ラッチレバー４，すなわちラッチレバー部４ｂはラッチレバー軸４ｄを中心に下方へ揺動する。その結果、第１回転軸６を中心にしてハンドルを手前に引くことで、扉１を開閉操作できるようになる。この状態でハンドルから手を離して操作力を除荷すると、ハンドル８はコイルスプリング４ｅのバネ復元力により図２(ａ)の状態に復帰する。
【００６３】
本実施形態によれば、右利きまたは左利き、いずれの人でも、簡単にハンドル８を両側縁部のいずれの側を手前に引いて操作することで、ハンドル８を第１回転軸６または第２回転軸７を中心に揺動させることができ、両引き操作の可能な使い勝手のよい扉のハンドル装置を得ることができる。
【００６４】
また、アーム３が旋回軸３ａを中心に鉛直線回りに揺動するとき、アーム３はユニットプレート１１や操作力伝達機構５であるラッチレバー４等に干渉することなく浮動的に揺動できるようになっている。このため、扉のハンドル装置をコンパクトに構成できる。
【００６５】
さらに、係合軸３ｂは第１回転軸６と第２回転軸７のほぼ中間に位置させているので、アーム３は旋回軸３ａを中心にして揺動する角度は等しい。このため、ハンドルを左右いずれの側を手前に引いて操作するときでも、均等な操作力で両引きによる開閉操作でき、操作フィーリングに優れた扉の施解錠装置を得ることができる。
【００６６】
さらにまた、アーム３とラッチレバー４との間に設けた凹溝３ｉとカム４ｇとで成るカム機構を介し操作力の伝達が行われる。このため、滑らかなハンドル操作性を得ることができる。
【００６７】
本発明は、上記実施形態に限られるものではなく、その趣旨及び技術思想を逸脱しない範囲で種々の変形が可能である。
【００６８】
例えば、上記実施形態では操作力伝達機構５のラッチレバー４を鉛直面内に揺動させる態様であったが、この代わりに図１０に示すように水平面内にラッチレバー４を揺動させる変形例とすることも可能である。係る変形例では上記実施形態の構成と次の点で大きく相違する。
【００６９】
すなわち、（１）ラッチレバー軸４ｄはユニットプレート１１において旋回軸３ａと同じ方向（鉛直方向）に指向して設けられる。これにより、ラッチレバー４はラッチレバー軸４ｄを中心にアーム３と同様に水平面内で揺動することができる。（２）旋回軸３ａとボス３ｈとの間における上方水平アーム部３ｆにピン１５を設ける。（３）図１２（ａ）、同図（ｂ）のようにラッチレバー４にボス３ｈを遊挿する逃げ穴１４が穿たれる。これにより、ボス３ｈは逃げ孔１４内を干渉することなく揺動できる。（４）ラッチレバー４に上記ピン１５に係合する係合孔１６を設ける。係合孔１６にピン１５を係合させることで、実施形態におけるカム機構３ｉ、４ｇと代替する操作力伝達部を形成する。これにより、アーム３が水平面内で揺動することに連動して、ラッチレバー４も同様に水平面内で揺動させることができる。（５）旋回軸３ａの中央部１７に図１２（ｃ）に示すコイルスプリング４ｅを巻装し、その一端４ｅ１をユニットプレート１１の背面側に衝合させ、その他端４ｅ２を該背面側に対面する鉛直アーム部３ｆに衝合させる。
【００７０】
これにより、アーム３にコイルスプリング４ｅのバネ力を作用させ、常時アーム３が図１０に示す状態に付勢されるようになる。こうして、本変形例における操作力伝達部機構５は、上記アーム３と、係合手段であるボス３ｈおよび逃げ穴１４と、ラッチレバー４と、ラッチレバー軸４ｄと、コイルスプリング４ｅと、カム機構３ｉ、４ｇに代替するピン１５および係合孔１６形成される操作力伝達部とで構成される。上記以外の構成は上記実施形態の構成と実質的に同じである。なお、ピン１５をラッチレバー４側に、係合孔１６をアーム３側に設ける態様としてもよいのは言うまでもない。
【００７１】
本変形例によれば、ハンドル８を開操作すると、アーム３はコイルスプリング４ｅのバネ力に抗して旋回軸３ａを中心に水平面内で揺動し、図１０に示す状態から図１１に示される状態に変位する。これに連動してピン１５に係合するラッチレバー４は軸４ｄを中心にして矢印Ａ（図１０参照）方向へ、すなわち、アーム３に連動して水平面内で揺動するようになる。この結果、錠箱がラッチレバー４により施解錠される。
【００７２】
したがって、本変形例に係る扉のハンドル装置によれば、上記実施形態ではラッチレバー４をアーム３が揺動する方向とは直交する面内に揺動させたが、本変形例のラッチレバー４はアーム３が揺動する方向と同じ方向の面内に揺動させることができる。このため、錠箱の態様に応じた使い勝手の良い扉のハンドル装置を得ることができる。
【００７３】
また、本変形例によれば、係合孔１６にピン１５を係合させることで、上記実施形態におけるカム機構３ｉ、４ｇと代替する操作力伝達機構部を形成した。このため、ハンドル８の開閉操作における操作力を確実にアーム３を介してラッチレバー４に伝達することができる。その結果、操作フィーリングの向上に優れた扉のハンドル装置を実現できる。
【００７４】
また、図１３は片引き部品を追加した、ハンドル装置の変形例を示した上記図４に相当する要部拡大正面図であり、図１４は片引き部品の動きを示した作用説明図である。
【００７５】
この例では、ユニットベース１０とハンドル８の下取付座８ｃとの間に、板状の第１片引き部品２０および第２片引き部品２１を同一平面上に設けている。なお、この例では、第１片引き部品２０および第２片引き部品２１を、ユニットベース１０とハンドル８の下取付座８ｃとの間に設ける例を示したが、本発明はこれに限定されず、例えば、第１片引き部品２０および第２片引き部品２１を、ユニットベース１０とハンドル８の上取付座８ｂとの間に設けてもよい。
【００７６】
第１片引き部品２０は、ユニットベース１０に固定された第１支持軸２２に挿通され、この第１支持軸２２を中心として回動可能に構成され、第２片引き部品２１は、ユニットベース１０に固定された第２支持軸２３に挿通され、この第２支持軸２３を中心として回動可能に構成されている。
【００７７】
第１片引き部品２０の端部には断面Ｕ字形状の係合凹部２０ａが形成され、第１片引き部品２０は、係合凹部２０ａが第１回転軸６と係合されるように配設される。したがって、ハンドル８の左側縁を手前(扉１から遠ざける方向)に引いた場合、ハンドル８の動きに合わせて第１回転軸６が案内溝１０ｃを移動し、この第１回転軸６の動きに合わせて第１片引き部品２０が第１支持軸２２を中心として回転することになる。
【００７８】
また、第２片引き部品２１の端部には断面Ｕ字形状の係合凹部２１ａが形成され、第２片引き部品２１は、係合凹部２１ａが第２回転軸７と係合されるように配設される。したがって、ハンドル８の右側縁を手前(扉１から遠ざける方向)に引いた場合、ハンドル８の動きに合わせて第２回転軸７が案内溝１０ｃを移動し、この第２回転軸７の動きに合わせて第２片引き部品２１が第２支持軸２３を中心として回転する。
【００７９】
次に、図１４を用いて、第１片引き部品２０および第２片引き部品２１の作用について説明する。ハンドル８の操作前においては、同図（ａ）に示すように、第１片引き部品２０および第２片引き部品２１は、各々の端部が当接しない状態（各々の先端部の間に若干の遊びを持たせた状態）を維持している。
【００８０】
次に、同図（ａ）に示す状態からハンドル８の両端（右側縁および左側縁）を手前に引いた場合、同図（ｂ）に示すように、第１片引き部品２０が第１回転軸６によって第１の方向（この例では、時計回り）に回転されるとともに、第２片引き部品２１が第２回転軸７によって第１の方向とは反対の第２の方向（この例では、反時計回り）に回転される。この結果、第１片引き部品２０および第２片引き部品２１の端部が互いに当接し、第１片引き部品２０および第２片引き部品２１は同図（ｂ）に示す位置で回転が制限される。これにより、第１回転軸６および第２回転軸７は、これ以上、案内溝１０ｃ内を移動することができなくなるため、ハンドル８も、これ以上、手前に引けない状態となる。
【００８１】
一方、同図（ａ）に示す状態からハンドル８の片側（例えば、右側縁のみ）を手前に引いた場合、同図（ｃ）に示すように、第２片引き部品２１が第２回転軸７によって第２の方向（この例では、反時計回り）に回転されるが、第１回転軸６はハンドル８の揺動中心となってほぼ移動しないため第１片引き部品２０はほとんど回転しない。この結果、第２片引き部品２１は第１片引き部品２０に当接することなく回転を続け、同図（ｄ）に示すように、第２回転軸７が案内溝１０ｃの端部近傍まで移動することが可能で、図示しない錠箱をラッチレバー４によって施解錠することが可能となる。
【００８２】
このような構成とすれば、ハンドル８を操作する場合に、ハンドル８の一方の側を手前に引いて片引き操作させることができ、より一層、操作性を高めることが可能となる。
【００８３】
なお、上記実施形態および変形例では、台座部２をユニットベース１０とユニットプレート１１とを組み合わせて構成したが、一体構造の形態のものであってもよい。
【００８４】
また、図５において、扉のハンドル装置を構成する各要素のレイアウトを上下逆に用いる態様にしてもよい。係る態様としても、上記実施形態と同様にハンドルを左右両引きにして扉を開閉できる。
【００８５】
また、上記実施形態の扉のハンドル装置は扉の表面側に装着した態様であったが、扉の裏面(室内面)に装着して用いてもよい。
【００８６】
また、上記実施形態および変形例の扉のハンドル装置を、鉛直、水平のいずれの方向に指向してセットして用いることも可能である。
【産業上の利用可能性】
【００８７】
本発明は、扉のハンドルを左右または上下いずれかの側縁を手前に引いても扉を開閉操作しうる扉のハンドル装置に利用される。
【符号の説明】
【００８８】
１  扉
２  台座部
３  アーム
３ａ  旋回軸
３ｂ  係合軸
３ｃ  鉛直基部
３ｄ  上方水平アーム部
３ｈ  ボス
３ｆ  鉛直アーム部
３ｅ  下方水平アーム部
３ｉ  凹溝
３ｊ  係止部
４  ラッチレバー
４ｂ  長脚（ラッチレバー部）
４ｄ  ラッチレバー軸
４ｅ  コイルスプリング
４ｆ  係止窓
４ｇ  カム
５  操作力伝達機構
６  第１回転軸
７  第２回転軸
８  ハンドル
８ｂ  上取付座
８ｃ  下取付座
１０  ユニットベース
１０ｃ  案内溝
１１  ユニットプレート
１２  ガイドプレート
１３  スタッドボルト
１４  逃げ穴
１５  ピン
１６  係止孔
２０  第１片引き部品
２１  第２片引き部品
２２  第１支持軸
２３  第２支持軸
Ｓ  空間
【図１】
2010185269.tif 000003
【図２】
2010185269.tif 000004
【図３】
2010185269.tif 000005
【図４】
2010185269.tif 000006
【図５】
2010185269.tif 000007
【図６】
2010185269.tif 000008
【図７】
2010185269.tif 000009
【図８】
2010185269.tif 000010
【図９】
2010185269.tif 000011
【図１０】
2010185269.tif 000012
【図１１】
2010185269.tif 000013
【図１２】
2010185269.tif 000014
【図１３】
2010185269.tif 000015
【図１４】
2010185269.tif 000016